(57)【要約】【課題】変形可能なカバーを有する原稿読取装置において、原稿押さえ部材の平坦性を維持し、また小さい操作力でカバーを変形させることを可能とする。【解決手段】原稿読取装置は原稿を載置する原稿載置面と、回動軸を中心に回動することにより原稿載置面を開閉するとともに、回動軸から離れた端部である自由端と回動軸との間の領域で原稿載置面側に凸となる曲げ変形が可能なカバーと、カバーの内面に設けられ、カバーの曲げ変形領域を含みカバーの内面に沿って拡がる形態を成し、少なくとも曲げ変形領域より回動軸の側の第１端部、及び曲げ変形領域より自由端の側の第２端部においてカバーに連結される原稿押さえ部材とを備える。原稿押さえ部材は、第１端部及び第２端部の少なくともいずれか一方が、カバーの曲げ変形に応じてカバーの内面に対し相対的に変位可能に連結される。【選択図】図２
2014153674.tif 000002
【特許請求の範囲】
【請求項１】
原稿を載置する原稿載置面と、
回動軸を中心に回動することにより前記原稿載置面を開閉するとともに、前記回動軸から離れた端部である自由端と前記回動軸との間の領域で前記原稿載置面側に凸となる曲げ変形が可能なカバーと、
前記カバーの内面に設けられ、前記カバーの曲げ変形領域を含み前記カバーの内面に沿って拡がる形態を成し、少なくとも前記曲げ変形領域より前記回動軸の側の第１端部、及び前記曲げ変形領域より前記自由端の側の第２端部において前記カバーに連結される原稿押さえ部材と、を備え、
前記原稿押さえ部材は、前記第１端部及び前記第２端部の少なくともいずれか一方が、前記カバーの曲げ変形に応じて前記カバーの内面に対し相対的に変位可能に連結される、
ことを特徴とする原稿読取装置。
【請求項２】
請求項１に記載の原稿読取装置において、前記カバーは、前記回動軸側に位置する、前記第１端部が連結される第１のカバー部材と、当該第１のカバー部材に対して相対的に回動可能に連結され、前記自由端を形成するとともに前記第２端部が連結される第２のカバー部材と、を備えて構成され、
前記カバーが、前記第２のカバー部材と前記第１のカバー部材とが相対的に回動することにより曲げ変形する、
ことを特徴とする原稿読取装置。
【請求項３】
請求項１または２に記載の原稿読取装置において、前記原稿押さえ部材は、前記第１端部が前記カバーに対し固定的に連結され、前記第２端部が前記カバーに対し変位可能に連結される、
ことを特徴とする原稿読取装置。
【請求項４】
請求項３に記載の原稿読取装置において、前記原稿載置面には原稿読取原点が設定され、
前記原稿読取原点は、前記カバーの自由端側に位置している、
ことを特徴とする原稿読取装置。
【請求項５】
請求項３に記載の原稿読取装置において、前記原稿載置面には原稿読取原点が設定され、
前記原稿読取原点は、前記カバーの回動軸側に位置している、
ことを特徴とする原稿読取装置。
【請求項６】
請求項２から５のいずれか一項に記載の原稿読取装置において、前記回動軸と前記自由端とを結ぶ方向における前記第２のカバー部材の長さは、前記第１のカバー部材の長さよりも短い、
ことを特徴とする原稿読取装置。
【請求項７】
請求項１から６のいずれか一項に記載の原稿読取装置において、前記カバーが曲げ変形した状態から平坦状に戻る様に前記カバーに外力を与える第１の付勢部材を備えている、
ことを特徴とする原稿読取装置。
【請求項８】
請求項１から７のいずれか一項に記載の原稿読取装置において、前記原稿押さえ部材の前記第１端部及び前記第２端部のうち前記カバーに対して変位可能な端部は、スライダー部材に固定され、
前記スライダー部材は、前記カバーに設けられたカバー側係合部に対しスライド可能に係合するスライダー側係合部を有する、
ことを特徴とする原稿読取装置。
【請求項９】
請求項８に記載の原稿読取装置において、前記スライダー側係合部及び前記カバー側係合部は、前記スライダー部材のスライド方向と交差する方向において複数設けられる、
ことを特徴とする原稿読取装置。
【請求項１０】
請求項８または９に記載の原稿読取装置において、前記スライダー側係合部及び前記カバー側係合部は、前記カバーの内面において前記原稿押さえ部材により覆われている、
ことを特徴とする原稿読取装置。
【請求項１１】
請求項１から１０のいずれか一項に記載の原稿読取装置において、前記原稿押さえ部材の前記第１端部及び前記第２端部のうち前記カバーに対して変位可能な端部を、前記原稿押さえ部材が伸長する方向に付勢する第２の付勢部材を備えている、
ことを特徴とする原稿読取装置。
【請求項１２】
請求項８から１１のいずれか一項に記載の原稿読取装置において、前記スライダー部材は前記原稿押さえ部材を貼り着ける貼り着け面に複数のリブを備える、
ことを特徴とする原稿読取装置。
【請求項１３】
被記録媒体に記録を実行する記録装置本体と、
前記記録装置本体に対し設けられた、請求項１から１２のいずれか１項に記載の原稿読取装置と、
を備えることを特徴とする記録装置。
【発明の詳細な説明】
【技術分野】
【０００１】
本発明は、原稿読取装置及びこれを備えた記録装置に関する。  
本願において、記録装置には、インクジェットプリンター、ラインプリンター、複写機、ファクシミリ等の種類が含まれるものとする。
【背景技術】
【０００２】
スキャナーと呼ばれる原稿読取装置においては、原稿を載置する原稿載置面に対してカバーが開閉可能に設けられている。そしてさらに、カバーは、原稿載置面にセットされた原稿を押さえるクッション材（原稿押さえ部材）を備えている（特許文献１〜５）。
【先行技術文献】
【特許文献】
【０００３】
【特許文献１】特開昭６１−２５２５４３号公報
【特許文献２】特開昭５９−１６６９３６号公報
【特許文献３】実開昭６３−１６４７４２号公報
【特許文献４】特開平０９−５４３７３号公報
【特許文献５】特開２０００−１３７３０２号公報
【発明の概要】
【発明が解決しようとする課題】
【０００４】
クッション材は原稿の形状に追従可能な柔軟性を有することに加え、特に薄手の原稿を効果的に押さえる観点で、長期に渡って平坦性が失われないことが好ましい。しかしながら特許文献１〜３記載のクッション材は使用に際して変形することを前提に設けられており、長期に渡る平坦性の確保の観点からは好ましいとは言い難い。
【０００５】
一方、特許文献４、５に示される様に、開閉可能なカバーには使用時の便宜を考慮して途中で折れ曲がりが可能に構成されたものもある。しかしながらこの様なカバーにクッション材を設けると、カバーの変形に追従してクッション材も顕著に折れ曲がる。特にカバーをクッション材の側とは反対側（外方向）に曲げた際には折れ曲がり部分でクッション材が潰れ、容易に癖がつき、当該クッション材の平坦性が容易に損なわれる虞がある。加えて、クッション材の変形により、操作者がカバーを折り曲げる際に操作者に大きな抵抗感を与えてしまうことになる。
【０００６】
本発明は、上記問題点に鑑みてなされたもので、その目的は変形可能なカバーを有する原稿読取装置において、原稿押さえ部材の平坦性を維持し、また小さい操作力でカバーを変形させることを可能とすることにある。
【課題を解決するための手段】
【０００７】
上記課題を達成するため、本発明の第１の態様の原稿読取装置は、原稿を載置する原稿載置面と、回動軸を中心に回動することにより前記原稿載置面を開閉するとともに、前記回動軸から離れた端部である自由端と前記回動軸との間の領域で前記原稿載置面側に凸となる曲げ変形が可能なカバーと、前記カバーの内面に設けられ、前記カバーの曲げ変形領域を含み前記カバーの内面に沿って拡がる形態を成し、少なくとも前記曲げ変形領域より前記回動軸の側の第１端部、及び前記曲げ変形領域より前記自由端の側の第２端部において前記カバーに連結される原稿押さえ部材と、を備え、前記原稿押さえ部材は、前記第１端部及び前記第２端部の少なくともいずれか一方が、前記カバーの曲げ変形に応じて前記カバーの内面に対し相対的に変位可能に連結されることを特徴とする。
【０００８】
本態様によれば、前記カバーは前記原稿載置面側に凸となるように曲げ変形可能であるので、カバーを閉じる際に、原稿を押さえた手を残したまま、カバーが原稿を押さえる位置まで当該カバーを閉じることができる。即ちカバーを閉じる過程において、カバーが原稿を押さえる前に原稿を押さえている手を引き抜く必要がなく、原稿が適切な位置から動いてしまうことを防止できる。また、カバーの一部が閉じた状態において、カバーの一部を開くことができるので、原稿の一部をカバー及び原稿押さえ部材により保持しつつ、原稿載置面における原稿の位置を確認することができる。
【０００９】
そして、本態様によれば、原稿押さえ部材は、前記回動軸側の第１端部と前記自由端側の第２端部との少なくともいずれか一方が、前記カバーの曲げ変形に応じて前記カバーの内面に対し相対的に変位可能であるので、前記カバーが曲げ変形する際、原稿押さえ部材がこれに追従して変形することを防止し、或いは変形量を抑制できる。即ち前記カバーの曲げ変形量に対し原稿押さえ部材の曲げ変形量を抑制できるので、原稿押さえ部材の平坦性が損なわれることを防止し、或いは抑制することができる。
【００１０】
加えて、前記カバーを変形させる際の原稿押さえ部材の変形が抑えられることで、前記カバーを軽い力で容易に変形させることができる。
【００１１】
尚、本明細書において、前記カバーの「曲げ変形」とは、折り曲げによる変形や湾曲による変形、或いは複数部材が連結部を介して連結されている場合には当該連結部を介した変形などを含み、前記カバーの自由端と前記回動軸との間の領域で前記原稿載置面側に凸となる様な全ての変形を意味するものである。
【００１２】
本発明の第２の態様の原稿読取装置は、第１の態様において、前記カバーは、前記回動軸側に位置する、前記第１端部が連結される第１のカバー部材と、当該第１のカバー部材に対して相対的に回動可能に連結され、前記自由端を形成するとともに前記第２端部が連結される第２のカバー部材と、を備えて構成され、前記カバーが、前記第２のカバー部材と前記第１のカバー部材とが相対的に回動することにより曲げ変形することを特徴とする。
【００１３】
本態様によれば、前記カバーは、前記回動軸側に位置する第１のカバー部材と前記自由端を形成する第２のカバー部材とを備えて構成され、前記第２のカバー部材と前記第１のカバー部材とが相対的に回動することにより曲げ変形するので、前記カバーを無理なく曲げ変形させることができる。即ち、前記カバーの曲げ変形に伴って前記カバーを構成する部材の塑性変形や破損などが生じることを防止できる。
【００１４】
本発明の第３の態様の原稿読取装置は、第１のまたは第２の態様において、前記原稿押さえ部材は、前記第１端部が前記カバーに対し固定的に連結され、前記第２端部が前記カバーに対し変位可能に連結されることを特徴とする。
【００１５】
本態様によれば、前記カバーを閉じる過程において最初に前記原稿押さえ部材の固定的に連結された側（第１端部）が原稿載置面に接触し、その後、変位可能に連結された側（第２端部）が原稿載置面に接触する。このため、前記カバーを閉じる過程において前記原稿押さえ部材が原稿載置面に対し動き難く、原稿載置面に載置された原稿が動いてしまうことを防止し、或いはその動きを抑制できる。
【００１６】
本発明の第４の態様の原稿読取装置は、第３の態様において、前記原稿載置面には原稿読取原点が設定され、前記原稿読取原点は、前記カバーの自由端側に位置していることを特徴とする。
【００１７】
本態様によれば、カバーが曲げ変形された状態から元の状態に戻る際、原稿押さえ部材の自由端側の端部も前記カバーに対してスライド移動した状態から前記カバーの自由端側に移動する。この際、原稿押さえ部材は、原稿載置面に載置された原稿をカバーの自由端側すなわち原稿読取原点に向けて押すこととなる。即ち、原稿が原稿読取原点からずれた場合でも、このずれが矯正されることが期待できる。
【００１８】
本発明の第５の態様の原稿読取装置は、第３の態様において、前記原稿載置面には原稿読取原点が設定され、前記原稿読取原点は、前記カバーの回動軸側に位置していることを特徴とする。
【００１９】
本態様によれば、前記カバーを閉じる過程において最初に前記原稿押さえ部材の固定的に連結された側（第１端部）が原稿載置面に接触し、つまり原稿読取原点に対し原稿を押さえる。従って前記カバーを閉じる過程において原稿が原稿読取原点からずれることを防止し、或いはそのずれを抑制できる。
【００２０】
本発明の第６の態様の原稿読取装置は、第２から第５のいずれか一の態様において、前記回動軸と前記自由端とを結ぶ方向における前記第２のカバー部材の長さは、前記第１のカバー部材の長さよりも短いことを特徴とする。
【００２１】
本態様によれば、自由端側を構成する第２のカバー部材が、回動軸側を構成する第１のカバー部材より短いので、カバーを開く際に最初に軽い力で第２のカバー部材を開くことができ、操作性が良好となる。加えて、カバーが閉じた状態において、前記第１のカバー部材を閉じたまま前記第２のカバー部材だけを開いて原稿の位置を確認する際、第１のカバー部材の面積が大きく、即ち原稿載置面にセットされた原稿のより多くの部分が第１のカバー部材によって押さえられている状態であるので、原稿載置面にセットされた原稿が容易にずれることを防止できる。
【００２２】
本発明の第７の態様の原稿読取装置は、第１から第６のいずれか一の態様において、前記カバーが曲げ変形した状態から平坦状に戻る様に前記カバーに外力を与える第１の付勢部材を備えていることを特徴とする原稿読取装置。
【００２３】
本態様によれば、前記カバーの曲げ変形を戻すような付勢力が前記カバーに作用することから、ユーザーは前記カバーを容易に元の状態に戻すことができる。加えて、カバーが曲げ変形した状態のまま放置され難く、前記原稿押さえ部材に曲がり癖が付き難くなる。
【００２４】
本発明の第８の態様の原稿読取装置は、第１から第７のいずれか一の態様において、前記原稿押さえ部材の前記第１端部及び前記第２端部のうち前記カバーに対して変位可能な端部は、スライダー部材に固定され、前記スライダー部材は、前記カバーに設けられたカバー側係合部に対しスライド可能に係合するスライダー側係合部を有することを特徴とする。
【００２５】
本態様によれば、原稿押さえ部材の回動軸側の端部及び自由端側の端部の少なくとも一方をカバーの回動軸及び自由端に対してスライド移動させる構成を簡素なものとすることができる。
【００２６】
本発明の第９の態様の原稿読取装置は、第８の態様において、前記スライダー側係合部及び前記カバー側係合部は、前記スライダー部材のスライド方向と交差する方向において複数設けられることを特徴とする。
【００２７】
本態様によれば、前記スライダー側係合部及び前記カバー側係合部は、前記スライダー部材のスライド方向と交差する方向において複数設けられるので、前記スライダーがスライド動作する際の斜行を防止でき、前記スライダーを円滑にスライドさせることができる。
【００２８】
本発明の第１０の態様の原稿読取装置は、第８または第９の態様において、前記スライダー側係合部及び前記カバー側係合部は、前記カバーの内面において前記原稿押さえ部材により覆われていることを特徴とする。
【００２９】
本態様によれば、前記スライダー側係合部及び前記カバー側係合部は、前記カバーの内面において前記原稿押さえ部材により覆われているので、ユーザーが係合部に触れることにより前記カバー側係合部と前記スライダー側係合部との係合状態が解除されることを防止することができる。
【００３０】
本発明の第１１の態様の原稿読取装置は、第１から第１０のいずれか一の態様において、前記原稿押さえ部材の前記第１端部及び前記第２端部のうち前記カバーに対して変位可能な端部を、前記原稿押さえ部材が伸長する方向に付勢する第２の付勢部材を備えていることを特徴とする。
【００３１】
本態様によれば、前記原稿押さえ部材の前記第１端部及び前記第２端部のうち前記カバーに対して変位可能な端部を、前記原稿押さえ部材が伸長する方向に付勢する第２の付勢部材を備えているので、前記原稿押さえ部材が平坦な状態に戻ることが促される。これにより、前記原稿押さえ部材に曲がり癖が付き難くなるとともに、前記カバーが閉じた際に前記原稿押さえ部材が平坦になり易く、原稿載置面に載置された原稿を適切に押さえることができる。また、原稿押さえ部材が平坦状に戻る傾向が付与されることで、カバーに対しても、曲げ変形した状態から平坦状に戻る傾向が与えられる。これにより、カバーが平坦状に戻る方向に付勢する付勢手段を省略して構成の簡素化を図ることも可能となる。
【００３２】
本発明の第１２の態様の原稿読取装置は、第８から第１１のいずれか一の態様において、前記スライダー部材は前記原稿押さえ部材を貼り着ける貼り着け面に複数のリブを備える、
ことを特徴とする。
【００３３】
本態様によれば、前記スライダー部の貼り着け部を複数のリブで構成することにより、前記原稿押さえ部材との接触面積が減少し、該原稿押さえ部材が前記リブにめり込みやすくなる。その結果、原稿載置面にセットされた原稿を前記原稿押さえ部材により押さえる際、前記原稿押さえ部材の形状が原稿の形状に追従し易くなり、より適切に原稿を押さえることができる。
【００３４】
本発明の第１３の態様の記録装置は、被記録媒体に記録を実行する記録装置本体と、前記記録装置本体に対し設けられた、第１から第１２のいずれか一の態様における原稿読取装置とを備えることを特徴とする。  
本態様によれば、第１から第１１のいずれか一の態様の作用効果と同様の効果を得ることができる。
【図面の簡単な説明】
【００３５】
【図１】本発明に係るプリンターを示す斜視図。
【図２】第１の実施例においてカバーを開いた状態を示す斜視図。
【図３】第１の実施例におけるカバーの側断面図。
【図４】第１の実施例において第２のカバー部材を開いた場合の状態を示す斜視図。
【図５】第１の実施例におけるカバーの裏面を示す斜視図。
【図６】第１の実施例におけるスライダー部材の斜視図。
【図７】（Ａ）は第１の実施例における第１の案内部及び第１のフック部を示す斜視図であり、（Ｂ）は第１の実施例における第２の案内部及び第２のフック部を示す斜視図。
【図８】第１の実施例におけるカバーが曲げ変形した際の側断面図。
【図９】第２の実施例におけるカバーの平面図。
【図１０】第３の実施例におけるスライダー部材の斜視図。
【発明を実施するための形態】
【００３６】
以下、本発明の実施の形態を図面に基づいて説明する。尚、各実施例において同一の構成については、同一の符号を付し、最初の実施例においてのみ説明し、以後の実施例においてはその構成の説明を省略する。
【００３７】
図１は本発明に係るプリンターを示す斜視図であり、図２は第１の実施例においてカバーを開いた状態を示す斜視図であり、図３は第１の実施例におけるカバーの側断面図であり、図４は第１の実施例において第２のカバー部材を開いた場合の状態を示す斜視図であり、図５は第１の実施例におけるカバーの裏面を示す斜視図である。
【００３８】
図６は第１の実施例におけるスライダー部材の斜視図であり、図７（Ａ）は第１の実施例における第１の案内部及び第１のフック部を示す斜視図であり、図７（Ｂ）は第１の実施例における第２の案内部及び第２のフック部を示す斜視図であり、図８は第１の実施例におけるカバーが曲げ変形した際の側断面図であり、図９は第２の実施例におけるカバーの平面図であり、図１０は第３の実施例におけるスライダー部材の斜視図である。
【００３９】
また、各図において示すＸ−Ｙ−Ｚ座標系はＸ方向が記録装置の奥行き方向、Ｙ方向が記録装置の幅方向、Ｚ方向が記録装置の高さ方向を示している。尚、各図において−Ｘ向を装置前面側とし、＋Ｘ方向側を装置背面側とする。
【００４０】
図１を参照して、記録装置１０の構成要素について説明する。記録装置１０は、装置本体１２と、原稿読取装置１４とを備えている。装置本体１２は、外観を構成するハウジング１６と、該ハウジングの前面においてハウジング１６に対して開閉可能な蓋体１８と、ハウジング１６の前面に設けられた操作部２０とを備えている。図示しないが、蓋体１８を開いた状態にした際、ハウジング１６の内部に設けられた用紙収容部（図示せず）にアクセス可能となる。
【００４１】
また、ハウジング１６内には、図示しないが前記用紙収容部と、記録部と、排出部と、前記用紙収容部から前記記録部を介して前記排出部に記録媒体を搬送する搬送経路とが設けられている。尚、図示しないが操作部２０はハウジング１６に対して装置前方側に回動可能に構成されている。
【００４２】
操作部２０をハウジング１６に対して装置前方側に回動させた際、ハウジング内の前記排出部にアクセス可能となり、前記記録部（図示せず）において記録が実行された前記記録媒体を装置本体１２から排出することができる。また、操作部２０は、プリンター１０を操作するための電源ボタンや印刷設定ボタン、表示パネル等を備えて構成されている。
【００４３】
■■■第１の実施例■■■■
次いで、図１ないし図８を参照して第１の実施例に係る原稿読取装置１４について詳説する。原稿読取装置１４は、原稿載置面２２（図２参照）と、カバー２４と、原稿押さえ部材２６と、スライダー部材２８と、図示しない光学走査部を備えている。
【００４４】
原稿載置面２２は、装置本体１２の上部に設けられている。原稿載置面２２は、透明なガラス板により形成されている。本実施例では、原稿載置面２２の−Ｘ方向側の端部すなわちカバー２４の自由端２４ａ側に前記光学走査部が原稿載置面２２に載置された原稿を読み取るための原稿読取原点Ｐが設定されている。尚、原稿載置面２２の周囲は原稿載置面２２より一段高くなっており、これにより原稿読取原点Ｐに対し、原稿角部を突き当てて位置決めすることができる様になっている。
【００４５】
原稿載置面２２の下方には、当該原稿載置面に載置された原稿を読み取るための光学走査部（図示せず）が設けられている。  
前記光学走査部は、図示しないが読取部と駆動機構とを備えている。前記駆動機構は、前記読取部を図２におけるＹ方向（装置幅方向）に駆動させて原稿載置面２２に載置された原稿を読み取ることができる。
【００４６】
カバー２４は、第１のカバー部材３０と第２のカバー部材３２とを備えている（図１及び図３参照）。カバー２４において、第１のカバー部材３０は図１における＋Ｘ方向側、即ちカバー２４の基端側（回動軸側）に位置し、第２のカバー部材３２は−Ｘ方向側、即ちカバー２４の自由端側に位置している。
【００４７】
第１のカバー部材３０において、＋Ｘ方向側の端部３４には回動部３６が設けられている（図３参照）。回動部３６には回動軸３８が形成されている。すなわち、第１のカバー部材３０の＋Ｘ方向側の端部３４は、カバー２４の回動軸として機能する。また、第２のカバー部材３２の−Ｘ方向側の端部４０は、カバー２４の自由端２４ａとして機能する。
【００４８】
このため、カバー２４は、装置本体１２の上部に設けられた原稿載置面２２に対して閉じている状態（図１参照）と開いている状態（図２参照）とを取りうる。すなわち、カバー２４は、装置本体１２の上部に設けられた軸受け部４２に嵌合された回動軸３８を回動支点として原稿載置面２２に対して回動可能に構成されている。
【００４９】
また、第１のカバー部材３０の−Ｘ方向側の端部４４と第２のカバー部材３２の＋Ｘ方向側の端部４６とは、「曲げ変形領域」を構成するヒンジ部４８（図３参照）を介して相対的に回動可能に連結されている。また、第１のカバー部材３０の＋Ｘ方向側の端部３４と第２のカバー部材３２の−Ｘ方向側の端部４０とを結ぶ方向すなわちカバー２４における回動軸３８と自由端２４ａとを結ぶ方向（Ｘ軸方向）における第２のカバー部材３２の長さＬ２は、第１のカバー部材３０の長さＬ１よりも短く設定されている（図３参照）。
【００５０】
また、カバー２４は、図４に示すように第１のカバー部材３０と第２のカバー部材３２とを相対的に回動させることにより曲げ変形させられる。具体的には、第１のカバー部材３０と第２のカバー部材３２とが相対的に回動すると、第２のカバー部材３２はカバー２４の外面側すなわち原稿載置面２２と対向する側と反対の側に曲がることとなり、カバー２４は全体として、原稿載置面２２側に凸となるように変形する。このため、カバー２４の自由端２４ａである第２のカバー部材３２の−Ｘ方向側の端部４０は、カバー２４の回動軸３８に近づくように変形する（図４及び図８参照）。
【００５１】
この様にカバー２４が曲げ変形可能であるため、例えばカバー２４を閉じる際に、原稿を押さえた手を残したまま、カバー２４が原稿を押さえる位置まで当該カバー２４を閉じることができる。即ちカバー２４を閉じる過程において、カバー２４が原稿を押さえる前に原稿を押さえている手を引き抜く必要がなく、原稿が適切な位置から動いてしまうことを防止できる。また、カバー２４の一部が閉じた状態において、カバー２４の一部を開くことができるので、原稿の一部をカバー２４及び原稿押さえ部材２６により保持しつつ、原稿載置面２２における原稿の位置を確認することができる。
【００５２】
また、第１のカバー部材３０と第２のカバー部材３２とがヒンジ部４８を介して相対的に回動することによりカバー２４が曲げ変形するから、カバー２４は、無理なく曲げ変形させることができ、カバー２４を構成する部材に塑性変形や破損を生じさせる虞を低減する。
【００５３】
また、第２のカバー部材３２の長さ（Ｘ軸方向長さ）が、第１のカバー部材３０の長さより短いので、カバー２４を開く際に最初に軽い力で第２のカバー部材３２を開くことができ、操作性が良好となる。加えて、カバー２４が閉じた状態において、第１のカバー部材３０を閉じたまま第２のカバー部材３２だけを開いて原稿の位置を確認する際（図４）、第１のカバー部材３０の面積が大きく、即ち原稿載置面２２にセットされた原稿のより多くの部分が第１のカバー部材３０によって押さえられている状態であるので、原稿載置面２２にセットされた原稿が容易にずれることを防止できる。
【００５４】
次に、カバー２４の内面すなわち原稿載置面２２と対向する側には原稿押さえ部材２６が設けられている（図２及び図３参照）。原稿押さえ部材２６は、カバー２４の内面に拡がる形態すなわち図２においてＹ軸方向に延びるとともにカバー２４の回動軸３８と自由端２４ａとを結ぶ方向においても延びており、その大きさは原稿載置面２２に対応する大きさに設定されている。原稿押さえ部材２６は、弾性を有するウレタン等の材質により構成されている。
【００５５】
また、原稿押さえ部材２６は、第１端部２６ａと第２端部２６ｂとを備えている（図３参照）。第１端部２６ａはヒンジ部４８よりも回動軸３８側すなわち第１のカバー部材３０の＋Ｘ方向側の端部３４側に位置している。また、第２端部２６ｂはヒンジ部４８よりも自由端２４ａ側に位置している。第１端部２６ａは第１のカバー部材３０の内面に貼り着けられて固定されている。また、第２端部２６ｂは、第２のカバー部材３２の内面にスライダー部材２８を介して変位可能に連結されている。
【００５６】
さらに図５を参照するに、第１のカバー部材３０の内面には複数のリブ５０が設けられている。また、第２のカバー部材３２の内面にも同様に複数のリブ５２が設けられている。カバー２４の内面において、リブ５０及びリブ５２が設けられた領域は、原稿押さえ部材２６の大きさに対応している。このため、リブ５０及びリブ５２は原稿押さえ部材２６を支持している。尚、図５における二点鎖線の矩形領域は原稿押さえ部材２６を示している。この様に第１のカバー部材３０及び第２のカバー部材３２において原稿押さえ部材２６と対向する面には複数のリブが設けられているので、原稿を押さえる際に、原稿押さえ部材２６が潰れ易く、変形し易くなり、原稿の形状に良好に適合することができる。
【００５７】
さらに、第１のカバー部材３０と第２のカバー部材３２との間には、第１の付勢部材５３が設けられている。第１の付勢部材５３は、カバー２４が曲げ変形した状態から平坦な状態へと戻るようにカバー２４に外力を作用させている。すなわち、ユーザーは曲げ変形したカバー２４を容易に平坦な状態に戻すことができる。加えて、カバー２４が曲げ変形した状態のまま放置され難く、原稿押さえ部材２６に曲がり癖が付き難くなる。
【００５８】
次に、本実施例では、第２のカバー部材３２には、図５におけるＸ軸方向に沿って第２のカバー部材３２に対してスライド移動するスライダー部材２８が取り付けられている。  
図６を参照するに、スライダー部材２８は、図６におけるＹ軸方向すなわちスライダー部材２８がスライドする方向と交差する方向に延びる平板状の部材として構成されている。本実施例では、Ｙ軸方向すなわち前記交差する方向においてスライダー部材２８の中央部２８ａには、スライダー側係合部５４ａが設けられ、両端部２８ｂには、スライダー側係合部５４ｂが設けられている。
【００５９】
スライダー側係合部５４ａは、平板状に形成され、図６及び図７（Ａ）におけるＸ軸方向に延びている。また、スライダー側係合部５４ｂは、図６及び図７（Ｂ）を参照するにＺ軸方向に開放され、Ｘ軸方向に延びる枠状に形成されている。さらに枠状のスライダー側係合部５４ｂにおいて、枠内は後述するカバー側係合部５８ｂに案内される案内部位５４ｃとして構成されている。さらに、案内部位５４ｃにはＺ軸方向におけるカバー側係合部５８ｂの変位を規制する規制部位５４ｄが設けられている。
【００６０】
また、中央部２８ａに設けられたスライダー側係合部５４ａと両端部２８ｂに設けられたスライダー側係合部５４ｂとの間には、Ｙ軸方向に延びる貼り着け部５６が設けられている。貼り着け部５６において、第２のカバー部材３２に取り付けられた際に原稿載置面２２と対向する側には貼り着け面５６ａが設けられている。貼り着け面５６ａには原稿押さえ部材２６の第２端部２６ｂが貼り着けられる。
【００６１】
また、図５及び図７（Ａ）を参照するに、第２のカバー部材３２の内面には、スライダー部材２８のスライダー側係合部５４ａに対応する位置にカバー側係合部５８ａが設けられている。カバー側係合部５８ａには図７（Ａ）におけるＸ軸方向に沿ってカバー側係合部５８ａを貫通する案内部６０を備えている。スライダー側係合部５４ａは、カバー側係合部５８ａの案内部６０に挿入されている。このため、スライダー側係合部５４ａは、案内部６０に案内されて図７（Ａ）におけるＸ軸方向に沿ってスライド移動することができる。
【００６２】
また、図５及び図７（Ｂ）を参照するに、第２のカバー部材３２の内面には、スライダー部材２８の両端部２８ｂに設けられたスライダー側係合部５４ｂに対応するそれぞれの位置にカバー側係合部５８ｂが設けられている。カバー側係合部５８ｂは庇状部材として形成されている。
【００６３】
カバー側係合部５８ｂは、枠状のスライダー側係合部５４ｂの枠内に挿入されている。スライダー部材２８は、案内部位５４ｃとカバー側係合部５８ｂとが相対移動することにより、また案内部６０とスライダー側係合部５４ａとが相対移動することにより、図７（Ａ）におけるＸ軸方向に沿ってスライド移動することができる。
【００６４】
また、スライダー側係合部５４ａの両側にスライダー側係合部５４ｂが設けられ、即ちスライダー部材２８がスライドする方向（図５におけるＸ軸方向）と交差する方向（図５におけるＹ軸方向）に間隔をおいて、複数のスライダー側係合部（５４ａ、５４ｂ）とカバー側係合部（５８ａ、５８ｂ）が設けられている。このため、スライダー部材２８ひいては原稿押さえ部材２６をＸ軸方向にスライド移動させる際の斜行を抑制することができる。
【００６５】
ここで、図３及び図８を参照して、第１のカバー部材３０と第２のカバー部材３２とが相対的に回動する際のカバー２４に対する原稿押さえ部材２６の動きについて説明する。
【００６６】
図３において、カバー２４において第１のカバー部材３０と第２のカバー部材３２とは平坦な状態にある。すなわち、カバー２４が曲げ変形していない状態にある。このため、原稿押さえ部材２６もカバー２４の内面において平坦な状態にある。この状態において原稿押さえ部材２６の第２端部２６ｂが貼り着けられたスライダー部材２８は、図３におけるＸ軸方向においてＸ１の位置にある。
【００６７】
カバー２４において図３における平坦な状態から、操作者が第２のカバー部材３２の自由端を掴んで引き上げると、第１のカバー部材３０と第２のカバー部材３２とが相対的に回動し、カバー２４が曲げ変形した状態となる。この際、スライダー部材２８は、カバー２４の曲げ変形に伴い、カバー２４に対して相対移動する。
【００６８】
尚、スライダー部材２８のスライド量は、カバー２４の曲げ変形における曲げ角度に応じて設定されている。具体的には、カバー２４の曲げ角度が大きくなる際、スライダー部材２８のスライド量も大きくなるように設定されている。
【００６９】
この際、スライダー部材２８は、第２のカバー部材３２に沿ってヒンジ部４８側にスライド移動する。これによりスライダー部材２８は、図８におけるＸ軸方向における位置Ｘ１から位置Ｘ２に移動する。即ち、原稿押さえ部材２６の第２端部２６ｂは、カバー２４の内面に対し相対移動し、これによりカバー２４の曲げ変形に追従して引っ張られることなく、自然な曲げ状態が形成される。
【００７０】
換言すれば、スライダー部材２８のスライド量すなわち位置Ｘ１から位置Ｘ２までの移動距離は、原稿押さえ部材２６におけるヒンジ部４８に対応する位置での曲げ変形を緩やかなものとするように設定されている。これにより、カバー２４が曲げ変形する際に原稿押さえ部材２６に潰れ、曲げ癖、折れ目などがつくことを抑制することができる。その結果、原稿押さえ部材２６は長期に渡って平坦性を維持することができ、特に薄手の原稿であっても効果的に押さえることができる。
【００７１】
また、本実施形態において原稿押さえ部材２６は、回動軸側の第１端部２６ａがカバー２４に対し固定的に連結され、自由端側の第２端部２６ｂがカバー２４に対し変位可能に連結されている。即ちカバー２４を閉じる過程において最初に固定的に連結された第１端部２６ａが原稿載置面２２に接触し、その後、変位可能に連結された第２端部２６ｂが原稿載置面２２に接触する。このため、カバー２４を閉じる過程において原稿押さえ部材２６が原稿載置面２２に対し動き難く、原稿載置面２２に載置された原稿が動いてしまうことを防止し、或いはその動きを抑制できる。
【００７２】
また、原稿読取原点Ｐは、カバー２４の自由端側に位置しているので、以下の様な作用効果が得られる。即ち、カバー２４が曲げ変形された状態から元の状態に戻る際、原稿押さえ部材２６の自由端側の第２端部２６ｂもカバー２４に対してスライド移動した状態からカバー２４の自由端側に移動する。この際、原稿押さえ部材２６は、原稿載置面２２に載置された原稿をカバー２４の自由端側すなわち原稿読取原点Ｐに向けて押すこととなる。即ち、原稿が原稿読取原点Ｐからずれた場合でも、このずれが矯正されることが期待できる。
【００７３】
但し、その逆に原稿読取原点Ｐがカバー２４の回動軸側にあっても良い。この場合、カバー２４を閉じる過程において最初に原稿押さえ部材２６の固定的に連結された側（第１端部２６ａ）が原稿載置面２２に接触し、つまり原稿読取原点Ｐに対し原稿を押さえる。従ってカバー２４を閉じる過程において原稿が原稿読取原点Ｐからずれることを防止し、或いはそのずれを抑制できる。
【００７４】
＜＜＜第１の実施例の変更例＞＞＞
（１）本実施例において原稿押さえ部材２６に対し両側に設けられたスライダー側係合部５４ｂ及びカバー側係合部５８ｂは、原稿押さえ部材２６から外側の領域にあるが、このような配置に代えて、原稿押さえ部材２６の内側の位置、即ち原稿押さえ部材２６により覆われる位置に設けても良い。これにより、ユーザーがスライダー側係合部５４ｂ及びカバー側係合部５８ｂに容易に触れることを防止でき、スライダー側係合部５４ｂとカバー側係合部５８ｂとの係合状態が不用意に解除されることを防止することができる。
【００７５】
（２）本実施例において原稿押さえ部材２６は、自由端側の第２端部２６ｂがカバー２４に対しスライド可能となる様に設けられているが、その逆に基端側（回動軸側）の第１端部２６ａがカバー２４に対しスライド可能となる様に設けても良い。  
或いは、第１端部２６ａ及び第２端部２６ｂの双方がカバー２４に対しスライド可能となる様に設けても良い。この場合原稿押さえ部材２６は、第１端部２６ａ及び第２端部２６ｂの間の適宜の位置で、カバー２４に対し固定的に連結されることが好ましい。
【００７６】
（３）本実施例では、１つのカバー側係合部５８ａと、その両側にカバー側係合部５８ｂを設ける構成としたが、この様な係合部の配置数、配置場所は、その他適宜変更することができる。
（４）また、本実施例におけるカバー側係合部５８ａ及びカバー側係合部５８ｂをスライダー部材２８に設け、スライダー側係合部５４ａ、５４ｂをカバー２４に設ける構成としてもよい。
（５）本実施例においてカバー２４は、外面が凹となる様な曲げ変形（図４、図８）が可能に構成されているが、これに加え、或いはこれに代えて逆方向の曲げ変形（外面が凸となる様な曲げ変形）が可能に構成されていても良い。この場合でも、原稿押さえ部材２６はカバー２４の曲げ変形には完全に追従しないから、原稿押さえ部材２６の曲がり癖や潰れなどを抑制することができる。
【００７７】
■■■第２の実施例■■■■
続いて図９を参照して、第２の実施例に係る原稿読取装置１４について説明する。第２の実施例は、スライダー部材２８を付勢する第２の付勢部材６２が設けられている点で第１の実施例と相違する。
【００７８】
第２の実施例において、スライダー部材２８は第１の実施例と同様に第２のカバー部材３２に取り付けられ、カバー２４に対してスライド移動可能に構成されている。スライダー部材２８と第２のカバー部材３２との間には複数の第２の付勢部材６２が設けられている。尚、図９における二点鎖線の矩形の領域は原稿押さえ部材２６を示している。
【００７９】
第２の付勢部材６２は、スライダー部材２８をカバー２４の自由端２４ａ側すなわち第２のカバー部材３２の−Ｘ方向側の端部４０に向けて付勢している。換言すれば、原稿押さえ部材２６を伸長する方向に付勢している。これにより、スライダー部材２８がカバー２４の回動軸３８側にスライド移動している状態において、スライダー部材２８をカバー２４の自由端２４ａ側（−Ｘ方向側の端部４０）に戻そうと作用する。
【００８０】
したがって、第２の付勢部材６２は、原稿押さえ部材２６を曲げ変形した状態から平坦な状態に戻すことを促す。これにより、原稿押さえ部材２６は曲がり癖が付き難くなるとともに、カバー２４を原稿載置面２２に対して閉じた際、平坦な状態になり易く、原稿載置面２２に載置された原稿を適切に押さえることができる。また、原稿押さえ部材２６が平坦状に戻る傾向が付与されることで、カバー２４に対しても、曲げ変形した状態から平坦状に戻る傾向が与えられる。これにより、カバー２４が平坦状に戻る方向に付勢する付勢手段（上記第１の実施例において第１の付勢部材５３）を省略して構成の簡素化を図ることも可能となる。
【００８１】
＜＜＜第２の実施例の変更例＞＞＞
カバー２４に対し原稿押さえ部材２６の第１端部２６ａがスライド可能な場合には、当該第１端部２６ａに対し、原稿押さえ部材２６が伸長する方向の付勢力を与えても良い。或いは、原稿押さえ部材２６の両端がスライド可能な場合には、当該両端に対し、原稿押さえ部材２６が伸長する方向の付勢力を与えても良い。
【００８２】
■■■第３の実施例■■■■
続いて図１０を参照して、第３の実施例に係る原稿読取装置１４について説明する。第３の実施例は、スライダー部材２８の貼り着け部５６において複数のリブが設けられている点で第１の実施例と相違する。
【００８３】
第３の実施例において、スライダー部材２８の貼り着け部５６において、第２のカバー部材３２に取り付けられた際に原稿載置面２２と対向する側にはスライダー部材２８がスライドする方向と交差する方向（図１０においてＹ軸方向）に複数のリブ６４が設けられている。
【００８４】
貼り着け部５６の複数のリブ６４には、原稿押さえ部材２６の第２端部２６ｂが貼り着けられている。複数のリブ６４に第２端部２６ｂを貼り着けることにより、原稿押さえ部材２６との接触面積が減少する。これにより、原稿押さえ部材２６がリブ６４にめり込み易くなる。その結果、原稿押さえ部材２６により原稿載置面２２に載置された原稿を押さえる際、原稿押さえ部材２６は、前記原稿の形状に原稿押さえ部材２６の形状が追従し易くなり、より適切に原稿を押さえることができる。
【００８５】
その他、上記各実施例では本発明に係る原稿読取装置１４を記録装置の一例としてのインクジェットプリンターに適用したが、その他液体噴射装置一般に適用することも可能である。
【００８６】
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００８７】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００８８】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００８９】
１０  プリンター、１２  装置本体、１４  原稿読取装置、１６  ハウジング、
１８  蓋体、２０  操作部、２２  原稿載置面、２４  カバー、２４ａ  自由端、
２６  原稿押さえ部材、２６ａ  第１端部、２６ｂ  第２端部、２８  スライダー部材、
２８ａ  中央部、２８ｂ  両端部、３０  第１のカバー部材、３２  第２のカバー部材、
３４  第１のカバー部材の＋Ｘ方向側の端部、３６  回動部、３８  回動軸、
４０  第２のカバー部材の−Ｘ方向側の端部、４２  軸受け部、
４４  第１のカバー部材の−Ｘ方向側の端部、
４６  第２のカバー部材の＋Ｘ方向側の端部、
４８  ヒンジ部、５０、５２、６４  リブ、５３  第１の付勢部材、
５４ａ、５４ｂ  スライダー側係合部、５４ｃ  案内部位、５４ｄ  規制部位、
５６  貼り着け部、５６ａ  貼り着け面、５８ａ、５８ｂ  カバー側係合部、
６０  案内部、６２  第２の付勢部材、Ｌ１  第１のカバー部材の長さ、
Ｌ２  第２のカバー部材の長さ、Ｐ  原稿読取原点、Ｘ１  スライダー部材の位置、
Ｘ２  スライダー部材の位置
【図１】
2014153674.tif 000003
【図２】
2014153674.tif 000004
【図３】
2014153674.tif 000005
【図４】
2014153674.tif 000006
【図５】
2014153674.tif 000007
【図６】
2014153674.tif 000008
【図７】
2014153674.tif 000009
【図８】
2014153674.tif 000010
【図９】
2014153674.tif 000011
【図１０】
2014153674.tif 000012